(57)【要約】【課題】  適応変調によりパケットフォーマットが変更されても、可変利得増幅器の利得を安定かつ適切に設定したい。【解決手段】    信号処理部２０は、変調方式判定部４０を含み、受信した信号のフレームフォーマットを識別し、利得制御部１２内の期間設定部３４へ通知する。期間設定部３４は、記憶部３０を参照し、通知されたフレームフォーマットに対応する利得設定期間を取得し、利得決定部３２へと通知する。利得決定部３２は、通知された利得設定期間の間、信号処理部２０へ入力される信号ＳＩＧ２０の信号レベルを測定し、可変利得増幅器１０の利得を決定する。【選択図】  図２
2005354325.tif 000002
【特許請求の範囲】
【請求項１】
パケット信号を受けつける受付部と、
前記受付部で受けつけたパケット信号を増幅する可変利得増幅器と、
前記可変利得増幅器で増幅したパケット信号にもとづいて、前記可変利得増幅器の利得を決定する利得制御部とを備え、
前記受付部で受けつけるべきパケット信号は、複数の種類規定されたパケットフォーマットのいずれかを有し、当該複数の種類規定されたパケットフォーマットは、互いに異なった期間の既知信号を含んでおり、
前記利得制御部は、前記可変利得増幅器の利得を決定するための期間を前記既知信号の期間の少なくとも一部に設定し、かつ前記可変利得増幅器の利得を決定するための期間を前記受付部で受けつけたパケット信号が有したパケットフォーマットの種類に応じて変更することを特徴とする増幅装置。
【請求項２】
前記利得制御部は、前記複数の種類規定されたパケットフォーマットが含んだ既知信号の期間の長短に応じて、前記可変利得増幅器の利得を決定するための期間を伸縮して設定することを特徴とする請求項１に記載の増幅装置。
【請求項３】
前記複数の種類規定されたパケットフォーマットと、それぞれのパケットフォーマットに対応した前記可変利得増幅器の利得を決定するための期間との関係をあらかじめ記憶しておく記憶部をさらに備えることを特徴とする請求項１または２に記載の増幅装置。
【請求項４】
前記可変利得増幅器において増幅すべきパケット信号が有したパケットフォーマットに関する指示を外部から入力するための指示端子をさらに備えることを特徴とする請求項１から３に記載の増幅装置。
【請求項５】
可変利得増幅器において増幅すべきパケット信号が、複数の種類規定されたパケットフォーマットのいずれかを有しており、
前記可変利得増幅器の利得を決定するための期間を、前記複数の種類規定されたパケットフォーマットに含まれる互いに異なった期間の既知信号の少なくとも一部に設定し、かつ前記可変利得増幅器の利得を決定するための期間をパケット信号が有したパケットフォーマットの種類に応じて変更し、前記可変利得増幅器の利得を決定するための期間中に決定した利得を前記可変利得増幅器に指示することを特徴とする可変利得増幅器の利得制御方法。
【発明の詳細な説明】
【技術分野】
【０００１】
本発明は、増幅装置の利得制御技術に関し、特に移動体無線通信の受信部に使用される増幅器およびその利得制御方法に関する。
【背景技術】
【０００２】
携帯電話や簡易型携帯電話システムなどの移動体無線通信システムにおいて、端末および基地局はそれぞれ、受信した微弱なパケット信号を、増幅器によって所定の信号レベルまで増幅した後に、復調その他の様々な信号処理を行っている。ここで、端末および基地局が受信する信号のレベルは、基地局および端末間の距離や伝搬路の状況等に応じて大きく異なっているが、後段の信号処理部にほぼ一定レベルの信号が供給できるように、端末や基地局の受信部には可変利得増幅器が設けられ、受信した信号のレベルに応じて、可変利得増幅器の利得を決定する（例えば、特許文献１参照）。
【特許文献１】特開平１０−９３６５０号公報
【発明の開示】
【発明が解決しようとする課題】
【０００３】
通常、この可変利得増幅器の利得を決定する自動利得制御（ＡＧＣ：Ａｕｔｏｍａｔｉｃ  Ｇａｉｎ  Ｃｏｎｔｒｏｌ）回路は、受信したパケット信号の先頭部分に含まれるスタートシンボルＳＳおよびプリアンブルＰＲといった、既知信号の部分を利用して利得制御を行っている。
【０００４】
次世代の通信システムでは、伝搬路特性やトラヒックの状況によって変調方式、シンボルレートなどの変調パラメータを変化させる適応変調方式の採用が想定されるので、これらの変調パラメータが変わると、それに伴ってパケット信号が有するパケットフォーマットが変わる場合がある。パケットフォーマットの変化は、すなわち、先述の既知信号の期間の変化を意味する。もし、利得を決定するための期間が、既知信号の期間ではなく、パケットフォーマットの後部に配置される有意信号の部分にまで伸びてしまえば、ＡＧＣ回路において適切な利得の設定ができなくなり、増幅後の信号処理に支障をきたし、究極的には発呼成功率や通話品質を悪化させる。このような場合に、利得を決定するための期間を、最も短い既知信号の期間にあわせて設定する方法も考えられる。しかしながら、ＡＧＣ回路においては、可能な限り長い期間にわたって増幅した信号を測定して利得を決定した方が、より安定かつ適切な利得制御が可能となる。従って、既知信号の期間が長いパケットフォーマットに対して、短期間で利得の設定を行うのは望ましくない。
【０００５】
本発明はこうした状況に鑑みてなされたものであり、その目的は、既知信号の期間が異なる複数のパケットフォーマットに応じて適切な利得制御を行うことができる増幅装置および可変利得増幅器の利得制御方法の提供にある。
【課題を解決するための手段】
【０００６】
本発明のある態様は、増幅装置に関する。この増幅装置は、パケット信号を受けつける受付部と、受付部で受けつけたパケット信号を増幅する可変利得増幅器と、可変利得増幅器で増幅したパケット信号にもとづいて、可変利得増幅器の利得を決定する利得制御部とを備える。受付部で受けつけるべきパケット信号は、複数の種類規定されたパケットフォーマットのいずれかを有し、当該複数の種類規定されたパケットフォーマットは、互いに異なった期間の既知信号を含んでおり、利得制御部は、可変利得増幅器の利得を決定するための期間を前記既知信号の期間の少なくとも一部に設定し、かつ前記可変利得増幅器の利得を決定するための期間を受付部で受けつけたパケット信号が有したパケットフォーマットの種類に応じて変更してもよい。  
この増幅装置によれば、既知信号の長さに応じて、可変利得増幅器の利得を決定する期間を変更するため、各パケットフォーマットに応じた適切な利得制御を行うことができ、発呼成功率および通信品質の向上を図ることができる。
【０００７】
利得制御部は、複数の種類規定されたパケットフォーマットが含んだ既知信号の期間の長短に応じて、前記可変利得増幅器の利得を決定するための期間を伸縮して設定してもよい。  
この増幅装置によれば、適応変調によって変調方式やシンボルレートが変更され、既知信号の期間が長くなった場合には、それに応じて利得を決定するための期間を長く設定できるため、より適切な利得の設定を行うことができる。
【０００８】
この増幅装置は、複数の種類規定されたパケットフォーマットと、それぞれのパケットフォーマットに対応した前記可変利得増幅器の利得を決定するための期間との対応をあらかじめ記憶しておく記憶部をさらに備えていてもよい。  
この増幅装置によれば、パケットフォーマットとそれに対応する利得を決定するための期間をあらかじめ定めて記憶部に記憶しておくことによって、パケットフォーマットを判別した後、記憶部を参照してそれに応じた利得を決定するための期間を適切に変更することができる。
【０００９】
この増幅装置は、可変利得増幅器において増幅すべきパケット信号が有したパケットフォーマットに関する指示を外部から入力するための指示端子をさらに備えていてもよい。ベースバンド回路など上位レイヤに対応する高度な信号処理を行う回路によって、変調方式やシンボルレートなどの変調パラメータを識別し、増幅装置に対し現在受信しているパケット信号のパケットフォーマットを指示することによって、増幅装置は利得を設定するための期間を適切に決定することができる。
【００１０】
本発明の別の態様は、可変利得増幅器の利得制御方法に関する。この利得制御方法は、可変利得増幅器において増幅すべきパケット信号が、複数の種類規定されたパケットフォーマットのいずれかを有しており、可変利得増幅器の利得を決定するための期間を、前記複数の種類規定されたパケットフォーマットに含まれる互いに異なった期間の既知信号の少なくとも一部に設定し、かつ可変利得増幅器の利得を決定するための期間を、パケット信号が有したパケットフォーマットの種類に応じて変更し、可変利得増幅器の利得を決定するための期間中に決定した利得を可変利得増幅器に指示する。  
【００１１】
本発明のさらに別の態様も、可変利得増幅器の利得制御方法に関する。この利得制御方法は、互いに異なった期間の既知信号の期間を含むように複数の種類規定されたパケットフォーマットのいずれかを有したパケット信号であって、かつ可変利得増幅器において増幅すべきパケット信号が有するパケットフォーマットの種類を判別するステップと、判別した複数の種類規定されたパケットフォーマットに含まれる既知信号の期間を特定するステップと、可変利得増幅器において増幅すべきパケット信号に対する利得を決定するための期間を、特定した既知信号の期間の少なくとも一部に含まれるように、判別したパケットフォーマットの種類に応じて変更しながら設定するステップと、利得を決定するための期間中に可変利得増幅器の利得を決定するステップと、決定した可変利得増幅器の利得を前記可変利得増幅器に指示するステップとを含む。  
【００１２】
これらの利得制御方法によれば、各パケットフォーマットに含まれる既知信号の長さに応じて、可変利得増幅器の利得を決定する期間を変更するため、各パケットフォーマットに応じた適切な利得制御を行うことができ、発呼成功率および通信品質の向上を図ることができる。
【００１３】
なお、以上の構成要素の任意の組合せ、本発明の表現を方法、装置、システムなどの間で変換したものもまた、本発明の態様として有効である。
【発明の効果】
【００１４】
本発明によれば、適応変調方式が採用される通信システムの受信部に使用される増幅装置において、既知信号の期間が異なる複数のパケットフォーマットに対して適切な利得制御を行うことができ、発呼成功率および通信品質を向上することができる。
【発明を実施するための最良の形態】
【００１５】
本発明の実施例は、簡易型携帯電話システムの基地局装置の受信部に使用される増幅装置に関する。図１に本実施例に係る増幅装置１００を含む簡易型携帯電話システムの基地局装置の構成を示す。
【００１６】
本実施例に係る増幅装置１００を含む基地局装置３００と端末装置４００間の通信には適応変調が採用されている。適応変調方式とは、変調方式やシンボルレートなどの変調パラメータを伝搬路の状況に応じて切り替えて使用する方式をいう。例えば、伝搬路の状況が悪い場合には、伝搬路歪みに強いＢＰＳＫ（Ｂｉｎａｒｙ  Ｐｈａｓｅ Ｓｈｉｆｔ  Ｋｅｙｉｎｇ）などの変調方式を用いることで通信品質を維持する。逆に伝搬路が良好な場合には、変調方式をＱＰＳＫ（Ｑｕａｄｒａｔｕｒｅ  Ｐｈａｓｅ  Ｓｈｉｆｔ  Ｋｅｙｉｎｇ）や、１６ＱＡＭ（Ｑｕａｄｒａｔｕｒｅ  Ａｍｐｌｉｔｕｄｅ  Ｍｏｄｕｌａｔｉｏｎ）、さらには６４ＱＡＭなどの多値変調方式へと切り替え、さらにシンボルレートを上げて高速通信を行う。通信システムによって、どの変調パラメータを変更するかは異なるが、本実施例においては説明の簡単化のために、シンボルレートは一定のまま、変調方式のみをＢＰＳＫおよびＱＰＳＫで切り替えるものとする。
【００１７】
図１では、一の端末装置４００のみを図示するが、基地局装置３００は実際には複数の端末装置と通信を行っていてもよい。このときの基地局装置３００と複数の端末装置４００間の通信における複数スロットの多重化はＴＤＭＡ（Ｔｉｍｅ  Ｄｉｖｉｓｉｏｎ  Ｍｕｌｔｉｐｌｅｘ  Ａｃｃｅｓｓ）によって行われている。また、基地局装置３００と端末装置４００間の送受信は、ＴＤＤ（Ｔｉｍｅ  Ｄｉｖｉｓｉｏｎ  Ｄｕｐｌｅｘ）によって行われており、上り回線のスロットと下り回線のスロットを時間的に交互に切り替えて通信を行っている。
【００１８】
基地局装置３００は、アンテナ１４、受信ＲＦ部１６、増幅装置１００、復調部１８、信号処理部２０、変調部２２、送信ＲＦ部２４、アンテナスイッチ２６を含み、増幅装置１００はさらに可変利得増幅器１０と利得制御部１２とを含む。
【００１９】
基地局装置３００は、受信時には端末装置４００から送信されたパケット信号をアンテナ１４によって受信する。このとき、アンテナスイッチ２６は、アンテナ１４を受信ＲＦ部１６に接続する。受信ＲＦ部１６は、受信したパケット信号を増幅し、さらに周波数変換する。
【００２０】
増幅装置１００内部に設けられた可変利得増幅器１０は、受信ＲＦ部１６によって周波数変換された信号ＳＩＧ１０を以降の信号処理を行うために十分な信号レベルにまで増幅する。増幅された信号は、復調部１８へと入力されている。復調部１８は、ＡＤ変換および復調した信号ＳＩＧ１２を出力する。信号処理部２０は、信号ＳＩＧ１２のチャネルの判別を行い、制御チャネルＣＣＨや同期信号ＳＹＮＣであれば、端末装置４００との通信を行うための様々な処理を行い、情報チャネルＴＣＨであれば、音声データや画像データに対する処理を行う。さらに基地局装置３００は、図示しないネットワークと接続し、端末装置４００との間で通信されるデータを中継しても良い。
【００２１】
信号処理部２０において、端末装置４００から受信したパケット信号を安定に処理するためには、信号処理部２０に入力される信号ＳＩＧ１２は、受信バースト単位で、一定の信号レベルを有していることが望ましい。ところが、端末装置４００から送信され空間を伝播したのちにアンテナ１４で受信される信号レベルは、端末装置４００と基地局装置３００との距離や、伝搬路のフェージング状況によってバースト単位で大きく異なっている。そこで、増幅装置１００においては、信号処理部２０に入力される信号ＳＩＧ１２がバースト単位でほぼ一定レベルを有するように、可変利得増幅器１０の利得を決定する。
【００２２】
利得制御部１２は、可変利得増幅器１０の利得を制御するＡＧＣ機能を有する。この利得制御部１２には、復調部１８においてＡＤ変換、復調された信号ＳＩＧ１２が入力されており、利得制御部１２は、信号ＳＩＧ１２の信号レベルを一定期間測定し、測定した信号レベルをもとに可変利得増幅器１０の利得を決定する。
【００２３】
利得制御部１２において、利得を決定、制御するための動作は、パケットフォーマットの前部に配される既知信号を予め規定された利得で増幅する期間（以下、第１期間という）と、パケットフォーマットの後部に配される有意な信号を第１期間に決定した利得で増幅する期間（以下、第２期間という）の２つの期間に分けて考えることができる。
【００２４】
増幅装置１００が増幅するパケット信号のパケットフォーマットは、その前部に、ランプＲ、スタートシンボルＳＳ、プリアンブルＰＲなどの既知信号を含んでいるが、これら既知信号は、予めシンボルパターンが定められており有意な情報は持っていない。パケットフォーマットの後部には、これらの既知信号に続いて、有意な情報をもったシンボルが配置されている。
【００２５】
有意な情報を有するシンボルを信号処理している途中に可変利得増幅器１０の利得が変化すると、信号処理部２０への入力信号ＳＩＧ１２が変化することになり、信号処理に支障をきたす。従って、可変利得増幅器１０の利得の決定は、既知信号が配置されている第１期間に行い、有意なシンボルが含まれる第２期間の利得は変化させることなく一定に保つ必要がある。利得制御部１２が、第１期間および第２期間に可変利得増幅器１０の利得を決定、制御する動作の詳細については後述する。
【００２６】
増幅装置１００に入力されるパケット信号は、変調方式およびチャネルに応じて複数の種類規定されたパケットフォーマットを有しており、パケットフォーマットごとに含まれる既知信号の期間が異なっている。パケットフォーマットが常に一定であれば、既知信号の期間も一定であるため、利得制御部１２において、利得を決定するための期間は常に固定しておけばよい。しかしながら、適応変調方式が採用され、パケットフォーマットがバーストごとに異なる通信システムにおいては、パケットフォーマットの変化に伴い既知信号の長さが変化するため、利得を決定するための期間もそれに応じて変化させる必要がある。
【００２７】
図２には、受信部２００の構成がより詳細に示されている。受信部２００は、増幅装置１００、復調部１８、信号処理部２０を含む。さらに増幅装置１００は、可変利得増幅器１０、利得制御部１２とを含む。各ブロックの動作は、図１で説明した動作と同様であるためその説明は省略する。
【００２８】
信号処理部２０内に設けられた、変調方式判定部４０は、復調された信号ＳＩＧ１２から、現在受信中のパケット信号の変調方式およびチャネルの種類を識別し、パケットフォーマットを特定する機能をもつ。この特定したパケットフォーマットの識別番号ＳＩＧ２０は、利得制御部１２へと入力されている。また、識別された変調方式は、復調部１８にも入力されており、復調部１８は、パケット信号に適用された変調方式に対応した復調を行う。
【００２９】
利得制御部１２は、既知信号の長さに応じて利得を決定するための期間Ｔａ（以下利得決定期間Ｔａという）を適切に設定するために、その内部に記憶部３０、期間設定部３４、利得決定部３２を含んでいる。利得制御部１２は、増幅すべきパケット信号に適用されているパケットフォーマットをもとに、利得決定期間Ｔａを設定し、さらに、利得決定期間Ｔａでの測定にもとづいて可変利得増幅器１０の利得を決定する。
【００３０】
図３はＢＰＳＫおよびＱＰＳＫそれぞれに対応する制御チャネルＣＣＨ（Ｃｏｎｔｒｏｌ  ＣＨａｎｎｅｌ）のパケットフォーマットの一例を示す図である。ランプＲ、スタートシンボルＳＳおよびプリアンブルＰＲを含む既知信号を比較すると、ＱＰＳＫではこの既知信号の期間が２＋３２シンボルであるのに対し、ＢＰＳＫでは既知信号の期間が２＋１６シンボルとなっている。従って、利得制御部１２は、それぞれのパケットフォーマットに応じて、この既知信号の期間内で利得決定を行う必要がある。例えば、１シンボルを５．２［μｓ］とすれば、それぞれのパケットフォーマットに対応する既知信号の期間は、ＱＰＳＫにおいて５．２×（２＋３２）＝１７６．８［μｓ］、ＢＰＳＫにおいて５．２×（２＋１６）＝９３．６［μｓ］となる。
【００３１】
利得制御部１２において、可変利得増幅器１０の利得決定期間Ｔａは、これらの既知信号の期間を含む第１期間中の一部に設定する必要がある。さらに、利得を決定する際の伝搬路遅延や、基地局装置内部での遅延、さらに利得制御部の応答速度等の影響を考慮することが望ましく、例えばマージンとして２０［μｓ］もたせるとすれば、利得決定期間Ｔａは、例えばＱＰＳＫに対して１５０［μｓ］、ＢＰＳＫに対して７０［μｓ］のように規定することができる。
【００３２】
図２に戻る。記憶部３０は、このようにして規定された利得決定期間Ｔａと、パケットフォーマットの識別番号ＳＩＧ２０の対応を図４に示すようなテーブルとして記憶する。このテーブルには、変調方式とチャネルの種類の組み合わせごとに、適切な利得決定期間Ｔａが予め定められている。変調方式欄５０には適応変調によって変更される変調方式の種類が、チャネル欄５２にはパケット通信に用いられるチャネルの種類が、識別番号欄５４には変調方式とチャネルの組み合わせで定まるパケットフォーマットの識別番号が、利得決定期間欄５６には、各パケットフォーマットの識別番号に対応する利得決定期間Ｔａが記憶される。記憶部３０はこれらのすべてを記憶する必要はなく、例えば本実施例においては、パケットフォーマットの識別番号と利得期間決定期間Ｔａのみを記憶しておけばよい。
【００３３】
期間設定部３４は、パケットフォーマット、すなわち既知信号の期間に対応した利得決定期間Ｔａを設定する。期間設定部３４には、信号処理部２０から出力されたパケットフォーマットの識別信号ＳＩＧ２０が入力されており、さらに期間設定部３４は、記憶部３０と接続されている。従って、期間設定部３４は、入力されているパケットフォーマットの識別信号ＳＩＧ２０に対応する利得決定時間Ｔａを記憶部３０を参照して読み込むことで、既知信号の期間に対応した利得決定期間Ｔａを適切に設定する。
【００３４】
利得決定部３２には、信号処理部２０への入力信号ＳＩＧ２０と、期間設定部３４で設定した利得決定期間Ｔａが入力されている。利得決定部３２は、期間設定部３４によって指定された利得決定期間Ｔａの間、信号ＳＩＧ１２の信号レベルを測定し、前述した方法によって第２期間における可変利得増幅器の利得ｇ２を決定する。利得決定部３２は、第２期間に入ると、可変利得増幅器１０に対して、決定した利得ｇ２に変更すべく指示する。
【００３５】
送信時においては、変調部２２は、信号処理部２０から出力された信号をＤＡ変換および変調する。送信ＲＦ部２４は、変調部２２からの入力信号を周波数変換し、十分な電力まで増幅する。アンテナスイッチ２６は、送信時は、アンテナ１４と送信部を接続する。増幅された信号は、アンテナ１４から基地局装置３００に対して送信される。
【００３６】
本実施例においては、様々な処理を行う各要素を機能ブロックとして記載したが、これらは、ハードウェア的には、ＣＰＵ、メモリ、その他のＬＳＩで構成することができ、ソフトウェア的には、メモリにロードされた予約管理機能のあるプログラムなどによって実現される。従って、これらの機能ブロックがハードウェアのみ、ソフトウェアのみ、またはそれらの組合せによっていろいろな形で実現できることは当業者には理解されるところである。
【００３７】
以上のように構成された基地局装置３００および受信部２００の動作を、図５を参照しながら説明する。図５は、可変利得増幅器１０の利得を決定する手順を示すフローチャートである。
以下、前述の第１期間および第２期間において利得制御部１２が可変利得増幅器１０の利得を決定する動作について説明する。
【００３８】
第１期間において、利得制御部１２は、パケット信号を受信するとまず可変利得増幅器１０の利得を所定の値ｇ１に設定する。可変利得増幅器１０は、利得ｇ１でパケット信号ＳＩＧ１０を増幅する。この第１期間において増幅されるパケット信号は既知信号部分となっている。
【００３９】
信号処理部２０内の変調方式判定部４０は、復調された信号から受信部２００が現在受信しているパケット信号の変調方式およびチャネルの種類を判定し、パケット信号に適用されているパケットフォーマットを特定する（Ｓ１０）。変調方式およびチャネルの判定は、適応変調が採用される通信システムによって異なってくるが、例えば以下のように行っても良い。信号処理部２０は、例えばベースバンド回路などの上位レイヤに対応する高度な信号処理を行う回路に相当し、基地局装置３００と端末装置４００との接続シーケンスの状態をすべて把握している。従って、現在受信しているスロットがどのチャネルであるかは信号処理部２０には自明である。
【００４０】
基地局装置３００と端末装置４００との接続が確立すると、まず制御チャンネルＣＣＨによって通信を行い、同期信号ＳＹＮＣによって基地局装置３００と端末装置４００間の同期を取り、通信チャネルＴＣＨによって通信を行う。従って、同期信号ＳＹＮＣおよび通信チャネルＴＣＨについては、それ以前の制御チャネルＣＣＨによる通信の結果、現在受信中のパケット信号に適用されている変調方式を判別することができる。
【００４１】
また通常、制御チャンネルＣＣＨの既知信号部分に適用される変調方式は、より上位レイヤの通信によって決定されているため、これにもとづいて判別しても良い。上位レイヤからの判別が不可能な場合には、制御チャネルＣＣＨに関しては、受信系を複数設け、ＢＰＳＫとＱＰＳＫの両方に対して待ち受けて、変調方式が判別した時点で利得制御部１２によりいずれか一方を選択させることによって可変利得増幅器１０の利得制御を行っても良い。また、基地局装置３００と端末装置４００との通信が一時的に切断された場合などにおいて、信号処理部において受信しているパケット信号に適用されている変調方式やチャネルの判定ができなくなった場合には、例外的に、予めさだめられた利得決定期間Ｔａのうち最短の値を用いてもよい。
【００４２】
このようにして特定されたパケットフォーマットの識別信号ＳＩＧ２０は、利得制御部１２内部の期間設定部３４へと入力される。期間設定部３４は、記憶部３０に記憶されたテーブルを参照し、パケットフォーマットに対応した利得決定期間Ｔａを設定する（Ｓ１２）。  
【００４３】
利得決定部３２は、ランプＲ、スタートシンボルＳＳ、プリアンブルＰＲを含む既知信号の期間のある一区間の間、信号処理部２０への入力信号ＳＩＧ１２の信号レベルを測定する。この信号レベルを測定する期間は、期間設定部３４において設定された利得決定期間Ｔａである（Ｓ１４）。  
【００４４】
利得決定部３２は、利得決定期間Ｔａ中に測定した信号ＳＩＧ１２の信号レベルから、第２期間の利得ｇ２を決定する（Ｓ１６）。利得制御部１２は、利得決定期間Ｔａの間に測定した信号レベルの最大値をもとにして、第２期間の利得ｇ２を決定してもよい。すなわち、利得制御部１２で測定した信号レベルの最大値が所定の基準値よりも低ければ、利得制御部１２は、可変利得増幅器の第２期間における利得ｇ２を、第１期間の利得ｇ１よりも高く設定する。逆に、利得制御部１２で測定した信号レベルの最大値が所定の基準値よりも高ければ、可変利得増幅器１０の第２期間における利得ｇ２を第１期間の利得ｇ１よりも低く設定する。この利得の決定は、一定期間測定した信号レベルの平均値にもとづいてもよい
【００４５】
利得決定部３２は、決定した第２期間の利得ｇ２を可変利得増幅器１０へと指示する（Ｓ１８）。その結果、有意な信号が配置されるパケットフォーマットの後部は、第２期間の利得ｇ２で増幅され、信号処理部２０には、伝送路の状況や、基地局装置と端末装置間の距離によらず、すべてのバーストにおいて一定振幅の信号が入力されることになる。
以上の手順を経て受信部２００における増幅装置１００の利得制御は完了する。
【００４６】
その後、可変利得増幅器１０は、利得制御部１２によって指示された第２期間の利得ｇ２によって、パケット信号ＳＩＧ１０のパケットフォーマット内の後部に配置された有意な信号を増幅する。増幅された信号は、復調部１８において適切な復調方式で復調された後、所定の信号レベルをもって信号処理部へと入力される。
【００４７】
以上のように、本発明の実施例に係る増幅装置１００を、適応変調方式が採用された通信システムの受信部に使用した場合、変調パラメータが変化して既知信号の期間が変化した場合でも、可変利得増幅器の利得を適切に設定できるので、発呼成功率および通信品質を向上することができる。すなわち、既知信号の期間が短いパケットフォーマットに対しては、利得決定期間Ｔａを短く設定するため、利得決定期間が既知信号の期間を超えて、有意な信号にもとづいて利得を決定することを防止できる。また、既知信号の期間が長いパケットフォーマットに対しては、利得決定時間Ｔａを長く設定することにより、より安定かつ適切な利得制御が可能となる。
また、本発明では、パケットフォーマットの種類にもとづいて利得決定期間Ｔａを変化させるため処理が容易であるという利点を有する。
【００４８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４９】
本発明の実施例では、変調パラメータとして変調方式のみが変化する場合について説明した。しかし、実際の適応変調方式が採用される通信システムにおいては、シンボルレートのみ、あるいは変調方式とシンボルレート両方が変化する場合もある。この場合、記憶部３０に記憶されるテーブルを拡張し、シンボルレートが変化することによって増えるパケットフォーマットの種類と、それに対応した利得決定期間Ｔａを定めておけばよい。さらに信号処理部２０の内部に、変調方式判定部４０に加えて、シンボルレートを判別するブロックを設け、判別したシンボルレートに関する情報も信号ＳＩＧ２０によって期間設定部３４に対して通知すればよい。このようにして、利得決定部３２はシンボルレートが変化する場合でも、最適な利得決定期間Ｔａを設定することができ、通話品質、発呼成功率などの向上を図ることができる。
【００５０】
本発明の実施例では、増幅装置が基地局装置の受信部に使用される例について説明したが、端末装置の受信部に使用してもよい。この場合も、増幅装置自体の各ブロックにおける構成、動作に変わるところはなく、基地局装置に使用した場合と同様に、可変利得増幅器の利得を適切に設定することができ、発呼成功率および通信品質を向上することができる。さらに、基地局装置、端末装置それぞれ両方の受信部に用いることによって、発呼成功率および通信品質のさらなる向上が見込まれる。
【００５１】
本発明の実施例では、受信部２００において、利得制御部１２は、復調部１８よってＡＤ変換および復調された信号にもとづいて利得の決定を行ったがこれには限定されない。すなわち、利得制御部１２が参照する信号は、可変利得増幅器１０によって増幅された信号であればよく、例えば、可変利得増幅器１０による増幅直後のアナログ信号でもよいし、復調部１８においてＡＤ変換された信号であってもよい。
【００５２】
本実施例では、簡易型携帯電話システムを通信システムの一例として説明したが、本発明に係る利得制御技術は、その他の携帯電話や、無線ＬＡＮ（Ｌｏｃａｌ  Ａｒｅａ  Ｎｅｔｗｏｒｋ）など様々な通信システムに適用することができる。すなわち、パケット信号が有するパケットフォーマットの前部に含まれる既知信号にもとづいて可変利得増幅器の利得を制御する通信システム全般に適用することができる。
【図面の簡単な説明】
【００５３】
【図１】本発明の実施例に係る増幅装置を含む基地局装置の構成を示す図である。
【図２】図１の基地局装置に含まれる受信部の構成を示す図である。
【図３】適応変調によってパケット信号に適用されるパケットフォーマットの一例を示す図である。
【図４】図２の記憶部のデータ構造を示す図である。
【図５】図２の利得制御部の利得決定手順を示すフローチャートである。
【符号の説明】
【００５４】
１０  可変利得増幅器、  １２  利得制御部、  １４  アンテナ、  １６  受信ＲＦ部、  １８  復調部、  ２０  信号処理部、  ２２  変調部、  ２４  送信ＲＦ部、  ２６  アンテナスイッチ、  ３０  記憶部、  ３２  利得決定部、  ３４  期間設定部、  ４０  変調方式判定部、  １００  増幅装置、  ２００  受信部、  ３００  基地局装置、  ４００  端末装置。 
【図１】
2005354325.tif 000003
【図２】
2005354325.tif 000004
【図３】
2005354325.tif 000005
【図４】
2005354325.tif 000006
【図５】
2005354325.tif 000007